(57)【要約】【課題】様々な体格の釣り人にフィット感を与えることができる鮎タビ２の提供。【解決手段】鮎タビ２は、シャンク８を有している。このシャンク８は、インサイドレッグ２０、アウトサイドレッグ２２、ジップファスナー２４、ベロ２６及び面ファスナー２８を有している。ジップファスナー２４により、インサイドレッグ２０及びアウトサイドレッグ２２が開閉される。ベロ２６は、糸により、アウトサイドレッグ２２に縫い付けられている。面ファスナー２８は、フックシート４８及びループシート５０を有している。フックシート４８は、糸により、ベロ２６に縫い付けられている。ループシート５０は、糸により、インサイドレッグ２０に縫い付けられている。【選択図】図３
2015119811.tif 000002
【特許請求の範囲】
【請求項１】
ソール、フット及びシャンクを備えており、
上記シャンクが、ジップファスナーと、第一レッグと、第二レッグと、面ファスナーとを有しており、
上記ジップファスナーが、上記第一レッグと上記第二レッグとの開閉のためのスライダーを有しており、
上記スライダーのスライドにより、上記シャンクの間口が拡縮し、
上記間口が広い状態において、上記第一レッグと上記第二レッグとの間隔が上記面ファスナーにより固定されうる釣り用タビ。
【請求項２】
上記第一レッグに固定されており上記ジップファスナーの内側に位置しうるベロをさらに備えており、
上記面ファスナーが、フックシート及びループシートを有しており、
上記フックシート及びループシートのうちの、一方が上記ベロの外面に接合されており、他方が上記第二レッグの内面に接合されている請求項１に記載のタビ。
【発明の詳細な説明】
【技術分野】
【０００１】
本発明は、釣り人に着用されるタビに関する。詳細には、本発明は、ジップファスナーを有するタビに関する。
【背景技術】
【０００２】
鮎釣りでは、釣り人は体が水につかった状態で釣りを行う。釣り人は、鮎タビを履いて釣りを行う。この鮎タビは、ソール、フット及びシャンクを有する。シャンクは、スライダーを含むジップファスナーを有している。スライダーが下ろされることにより、シャンクの間口が大きくなる。スライダーが上げられることにより、シャンクの間口が小さくなる。
【０００３】
釣り人は、鮎タビを履く前にスライダーを下ろす。換言すれば、釣り人は、鮎タビを履く前に間口を大きくする。間口が大きいので、釣り人は、大きな抵抗を感じることなく、鮎タビを履くことが出来る。
【０００４】
その後、スライダーが上げられることにより、間口が小さくなる。これにより、釣り人は、フィット感を得ることができる。
【０００５】
釣り人は、鮎タビを脱ぐ前にもスライダーを下ろす。換言すれば、釣り人は、鮎タビを脱ぐ前に間口を大きくする。間口が大きいので、釣り人は、大きな抵抗を感じることなく、鮎タビを脱ぐことが出来る。
【０００６】
ジップファスナーを有する鮎タビが、実用新案登録第３１８２６１９号公報に開示されている。
【先行技術文献】
【特許文献】
【０００７】
【特許文献１】実用新案登録第３１８２６１９号公報
【発明の概要】
【発明が解決しようとする課題】
【０００８】
スライダーが上げられたときの間口の大きさは、釣り人の脛の太さに応じて決定されることが理想的である。しかし、太い脛を持つ釣り人に適した鮎タビ、平均的な太さの脛を持つ釣り人に適した鮎タビ、及び脛が細い釣り人に適した鮎タビを準備することは、鮎タビの製造業者にとって容易なことではない。平均的な太さの脛を有する釣り人に適した鮎タビが、市販されているのが実情である。
【０００９】
鮎タビのシャンクは、伸縮性の材料から形成されることが多い。従って、平均的な太さの脛を有する釣り人に適した鮎タビを、脛がやや太い釣り人が履いても、履き心地が大幅に損なわれることはない。しかし、脛が極めて太い釣り人がこの鮎タビを履き、ジップファスナーを閉めると、脛が強く締め付けられ、釣り人が違和感を覚える。違和感の解消の目的で、スライダーを上げずに釣りを行う釣り人がいる。そもそも、スライダーを上げることが出来ないほどに脛が太い釣り人も、存在する。
【００１０】
スライダーが下げられた状態で釣りが行われた場合、釣り人はフィット感を得られない。スライダーが下げられた状態で釣りが行われた場合、鮎タビの中に砂等が侵入することがある。
【００１１】
本発明の目的は、様々な体格の釣り人に適した釣り用タビの提供にある。
【課題を解決するための手段】
【００１２】
本発明に係る釣り用タビは、ソール、フット及びシャンクを備える。シャンクは、ジップファスナーと、第一レッグと、第二レッグと、面ファスナーとを有する。ジップファスナーは、第一レッグと第二レッグとの開閉のためのスライダーを有している。このタビでは、スライダーのスライドにより、シャンクの間口が拡縮しうる。間口が広い状態において、第一レッグと第二レッグとの間隔が面ファスナーにより固定されうる。
【００１３】
タビが、ベロをさらに備えてもよい。このベロは、第一レッグに固定されうる。このベロは、ジップファスナーの内側に位置しうる。面ファスナーは、フックシート及びループシートを有しうる。好ましくは、フックシート及びループシートのうちの、一方がベロの外面に接合され、他方が第二レッグの内面に接合される。
【発明の効果】
【００１４】
本発明に係るタビでは、面ファスナーによって第一レッグと第二レッグとの間隔が固定されうる。従って、ジップファスナーが開かれた状態においても、釣り人はフィット感を得られる。
【図面の簡単な説明】
【００１５】
【図１】図１は、本発明の一実施形態に係る釣り用タビが示された右側面図である。
【図２】図２は、図１のタビの一部が示された正面図である。
【図３】図３は、図１のタビの一部が示された拡大斜視図である。
【図４】図４は、図１のタビの一部が釣り人の脛と共に示された拡大図である。
【図５】図５は、図４のＶ−Ｖ線に沿った断面図である。
【発明を実施するための形態】
【００１６】
以下、適宜図面が参照されつつ、好ましい実施形態に基づいて本発明が詳細に説明される。
【００１７】
図１−５に示された釣り用タビ２は、鮎釣りをする釣り人に着用される。このタビ２は、「鮎タビ」と称されている。この鮎タビ２は、ソール４、フット６、シャンク８、前カバー１０、後カバー１２及びベルト１４を備えている。説明の便宜上、図２では、ベルト１４の図示が省略されている。図２において、左側がインサイドであり、右側がアウトサイドである。この鮎タビ２は、釣り人の左足に着用される。右足用の鮎タビは、左足用の鮎タビ２の形状と鏡面対称な形状を有する。
【００１８】
図１及び２に示されるように、ソール４は、アウトソール１６及びミッドソール１８を含んでいる。図示されていないが、ソール４はインソールも含んでいる。アウトソール１６は、フェルトから形成されている。アウトソール１６が、ゴム組成物、樹脂組成物等から形成されてもよい。ミッドソール１８は、ゴム組成物から形成されている。ミッドソール１８が、樹脂組成物等から形成されてもよい。アウトソール１６は、図示されない面ファスナーにより、ミッドソール１８に固定されている。このアウトソール１６は、ミッドソール１８に対して着脱自在である。アウトソール１６の摩耗が進行すると、このアウトソール１６がミッドソール１８から外され、新しいアウトソール１６に交換される。このアウトソール１６は、交換タイプである。交換タイプのアウトソール１６は、鮎タビ２の寿命を長引かせる。
【００１９】
フット６は、ソール４の上方に位置しており、このソール４に接合されている。フット６は、ポリクロロプレンを基材とする発泡体を含んでいる。この発泡体の内面及び外面には、ジャージーが積層されている。このフット６は、柔軟である。このフット６は、伸縮性である。
【００２０】
前カバー１０は、ゴム組成物が架橋されることによって形成されている。前カバー１０は、フット６の爪先側を覆っている。前カバー１０は、フット６に接合されている。前カバー１０は、フット６を保護する。前カバー１０が、樹脂組成物から形成されてもよい。前カバー１０は、必須の部材ではない。
【００２１】
後カバー１２は、ゴム組成物が架橋されることによって形成されている。後カバー１２は、フット６の踵側を覆っている。後カバー１２は、フット６に接合されている。後カバー１２は、フット６を保護する。後カバー１２が、樹脂組成物から形成されてもよい。前カバー１０は、必須の部材ではない。
【００２２】
ベルト１４は、フット６又はシャンク８を締め付けうる。このベルト１４は、鮎タビ２のフィット感を高める。ベルト１４は、必須の部材ではない。
【００２３】
シャンク８は、フット６の上方に位置している。シャンク８は、第一レッグ（本実施形態ではインサイドレッグ２０）、第二レッグ（本実施形態ではアウトサイドレッグ２２）、ジップファスナー２４、ベロ２６及び面ファスナー２８を有する。
【００２４】
インサイドレッグ２０は、ポリクロロプレンを基材とする発泡体を含んでいる。この発泡体は、フット６の発泡体と一体で形成されている。この発泡体の内面及び外面には、ジャージーが積層されている。このインサイドレッグ２０は、柔軟である。このインサイドレッグ２０は、伸縮性である。
【００２５】
アウトサイドレッグ２２は、ポリクロロプレンを基材とする発泡体を含んでいる。この発泡体は、フット６の発泡体と一体で形成されている。この発泡体の内面及び外面には、ジャージーが積層されている。このアウトサイドレッグ２２は、柔軟である。このアウトサイドレッグ２２は、伸縮性である。
【００２６】
ジップファスナー２４は、釣り人の脛３０よりも前に位置している。ジップファスナー２４は、インサイドテープ３２、アウトサイドテープ３４、多数のインサイドティース３６、多数のアウトサイドティース３８、スライダー４０及びプルタブ４２を有している。図５に示されるように、インサイドテープ３２は、糸４４により、インサイドレッグ２０に縫い付けられている。アウトサイドテープ３４は、糸４６により、アウトサイドレッグ２２に縫い付けられている。それぞれのインサイドティース３６は、インサイドテープ３２に取り付けられている。それぞれのアウトサイドティース３８は、アウトサイドテープ３４に取り付けられている。プルタブ４２が上方へと引かれてスライダー４０が上方へとスライドすると、インサイドティース３６とアウトサイドティース３８とが噛み合う。この噛み合いにより、インサイドレッグ２０とアウトサイドレッグ２２とが閉められる。プルタブ４２が下方へと引かれてスライダー４０が下方へとスライドすると、噛み合いが解放され、インサイドレッグ２０とアウトサイドレッグ２２とが開く。
【００２７】
図５に示されるように、ベロ２６はジップファスナー２４の内側（すなわち脛３０の側）に位置している。ベロ２６は、糸４６により、アウトサイドレッグ２２に縫い付けられている。ベロ２６は、ポリクロロプレンを基材とする発泡体を含んでいる。この発泡体の内面及び外面には、ジャージーが積層されている。このベロ２６は、柔軟である。このベロ２６は、伸縮性である。ベロ２６が、縫い付け以外の手段によってアウトサイドレッグ２２に固定されてもよい。ベロ２６が、インサイドレッグ２０に固定されてもよい。
【００２８】
面ファスナー２８は、フックシート４８及びループシート５０を有している。フックシート４８は、ベロ２６の外面に積層されている。フックシート４８は、糸５２及び糸５４により、ベロ２６に縫い付けられている。フックシート４８が、接着剤等によってベロ２６に接合されてもよい。図示は省略されているが、フックシート４８は、多数のフックを有している。ループシート５０は、インサイドレッグ２０の内面に積層されている。ループシート５０は、糸５６及び糸５８により、インサイドレッグ２０に縫い付けられている。ループシート５０が、接着剤等によってインサイドレッグ２０に接合されてもよい。図示は省略されているが、ループシート５０は、多数のループを有している。
【００２９】
フックシート４８とループシート５０とが合わされると、フックがループに絡む。この絡みにより、フックシート４８がループシート５０に固定される。フックシート４８が引かれることにより、このフックシート４８がループシート５０から剥がされうる。フックシート４８がレッグに固定され、ループシート５０がベロ２６に固定されてもよい。
【００３０】
釣り人がこの鮎タビ２の履くとき、プルタブ４２を引いてスライダー４０を下方へとスライドさせる。このスライドにより、インサイドレッグ２０がアウトサイドレッグ２２から離れ、シャンク８の間口６０が拡大する。釣り人は、この間口６０に足を入れる。間口６０が大きいので、釣り人は、抵抗を感じることなく鮎タビ２を履くことができる。
【００３１】
次に釣り人は、スライダー４０を上方へとスライドさせる。このスライドにより、インサイドレッグ２０がアウトサイドレッグ２２に近づき、シャンク８の間口６０が縮小する。釣り人は、フィット感を感じながら、釣りを行うことができる。
【００３２】
釣り人がこの鮎タビ２を脱ぐとき、プルタブ４２を引いてスライダー４０を下方へとスライドさせる。このスライドにより、インサイドレッグ２０がアウトサイドレッグ２２から離れ、シャンク８の間口６０が拡大する。釣り人は、この間口６０から足を抜く。間口６０が大きいので、釣り人は、抵抗を感じることなく鮎タビ２を脱ぐことができる。
【００３３】
図４及び５には、脛３０が極めて太い釣り人が鮎タビ２を履いた様子が示されている。脛３０が極めて太いため、スライダー４０は、シャンク８の間口６０から離れた位置までしか上げられ得ない。従って、間口６０は広い。この間口６０の近傍において、インサイドティース３６は、アウトサイドティース３８と噛み合っていない。ジップファスナー２４は、完全には閉まっていない。間口６０の近傍において、インサイドレッグ２０はアウトサイドレッグ２２と離れている。
【００３４】
図５に示されるように、フックシート４８はループシート５０と重なっている。フックシート４８は、ループシート５０に固定されている。従って、ジップファスナー２４が完全には閉まっていないにもかかわらず、インサイドレッグ２０とアウトサイドレッグ２２との間隔Ｌ（図４参照）が、面ファスナー２８によって固定されている。この固定は、釣り人にフィット感を与えうる。
【００３５】
フックシート４８がループシート５０に固定されることにより、ベロ２６の位置が固定されている。図４及び５に示されるように、ベロ２６は、ジップファスナー２４に生じた隙間を補完する。このベロ２６により、鮎タビ２の内部への、砂やゴミの進入が防止される。
【００３６】
釣り人が、ジップファスナー２４を完全に閉めた状態で釣りをしているときに、岩等にスライダー４０が引っかかり、ジップファスナー２４が開いてしまうことがある。この場合でも、面ファスナー２８が鮎タビ２のフィット感を維持する。
【産業上の利用可能性】
【００３７】
本発明に係るタビは、種々の魚の釣りに適している。
【符号の説明】
【００３８】
２・・・鮎タビ
４・・・ソール
６・・・フット
８・・・シャンク
２０・・・インサイドレッグ
２２・・・アウトサイドレッグ
２４・・・ジップファスナー
２６・・・ベロ
２８・・・面ファスナー
４０・・・スライダー
４８・・・フックシート
５０・・・ループシート
【図１】
2015119811.tif 000003
【図２】
2015119811.tif 000004
【図３】
2015119811.tif 000005
【図４】
2015119811.tif 000006
【図５】
2015119811.tif 000007